(57)【要約】【課題】通信装置に接続されたことを簡単な構成により検出できるようにした携帯端末機を提供する。【解決手段】データ及びプログラムを格納するメモリ１５、データなどを表示する液晶表示器（ＬＣＤ）１６、入力操作を行うキーボード１７、モード状態を表示する発光ダイオード（ＬＥＤ）１８、および、通信装置２０の光通信回路２９と光通信を行う光通信回路１９とを備え、それぞれ中央制御ユニット（ＣＰＵ）１４に接続されるようにしている。またホール素子１１を備え、通信装置２０に設けられた磁石２１によりもたらされる磁界による電気抵抗変化をホール素子１１で検出して中央制御ユニット１４に割込みを掛け中央制御ユニット１４に通信装置２０と接続されたことを通知する。【選択図】　　図１
2004120071.tif 000002
【特許請求の範囲】
【請求項１】
データを収集する通信装置と、前記データを送受する携帯端末機と、前記携帯端末機にホール素子を備えるともに前記通信装置に磁石を備え、前記ホール素子が前記磁石で動作して前記通信装置との接続を検出して、前記データの送受を開始することを特徴とする携帯端末機。
【請求項２】
前記ホール素子が前記通信装置との接続を検出した場合に電源オンとなることを特徴とする請求項１に記載の携帯端末機。
【請求項３】
インジケータを備え、電源オン後に前記通信手段を介してデータの送信が開始されたとき前記インジケータで通信状態を表示することを特徴とする請求項１に記載の携帯端末機。
【請求項４】
表示手段を備え、電源オン後に前記通信手段を介してデータの送信が開始されたとき、前記通信装置への送信内容を前記表示手段に表示することを特徴とする請求項１に記載の携帯端末機。
【請求項５】
前記ホール素子により電源オンとなった場合に、前記表示の上下を反転して表示することを特徴とする請求項４に記載の携帯端末機。
【請求項６】
前記通信手段は、光による通信であることを特徴とする請求項１に記載の携帯端末機。
【請求項７】
前記携帯端末機と前記通信装置の所定位置のそれぞれに嵌合部材を設け、前記嵌合部材により前記ホール素子と前記磁石との位置合わせを行うことを特徴とする請求項１に記載の携帯端末機。
【発明の詳細な説明】
【０００１】
【発明の属する技術分野】
本発明は、通信装置とデータ通信を行う携帯端末機に関するものである。
【０００２】
【従来の技術】
従来から宅配業務等に従事する従業員に携帯端末機を持たせ、携帯端末機に業務データを収集させ、収集した業務データを携帯端末機から中継所、あるいは車等に設置された通信装置を介してセンタに転送して、業務データを一元的に管理することが知られている（例えば、特開平１０−９１６７８号公報参照）。
【０００３】
また特開平２−２２７７１２号公報に記載された携帯端末は、収集した業務データをセンタに転送するためには、中継所等に設置されセンタに接続されている通信装置に携帯端末機を接続する必要があり、そのため、従来図５に示すような通信装置に接続されたことを検出する手段を有する携帯端末機が用いられていた。
【０００４】
図５において携帯端末機５０は、所定の給電用電圧又は充電用電圧を検出する電圧検出回路５２、データ及びプログラムを格納するメモリ５５、データなどを表示する液晶表示器（ＬＣＤ）５６、入力操作を行うキーボード５７、モード状態を表示する発光ダイオード（ＬＥＤ）５８、および、通信装置６０の光通信回路６９と光通信を行う光通信回路５９とを備え、それぞれ中央制御ユニット（ＣＰＵ）５４に接続されるようにしている。なお、携帯端末機５０は、給電端子５１から電力が供給され、供給された電力を電源回路５３にて蓄積し、蓄積した電力を携帯端末機の各部を駆動する電力源として利用する。
【０００５】
また図５において通信装置６０は、電源回路６３からの電力を給電端子６１に給電する制御を行う給電回路６２、データ及びプログラムを格納するメモリ６５、モード状態を表示する発光ダイオード（ＬＥＤ）６６、通信コネクタ６８を介してセンタ（図示せず）にデータ転送を行う通信回路６７、および、携帯端末機５０の光通信回路５９と光通信を行う光通信回路６９とを備え、それぞれ中央制御ユニット（ＣＰＵ）６４に接続されるようにしている。
【０００６】
次に、携帯端末機５０が通信装置６０に接続されたことを検出するための動作を説明すると、携帯端末機５０は、給電端子５１を介して通信装置６０の給電端子６１から電力を受け、受けた電力により所定の給電用電圧又は充電用電圧を越えた場合を電圧検出回路５２で検出し、電圧検出回路５２が所定電圧を検出できた場合に、電圧検出回路５２から携帯端末機５０の中央制御ユニット（ＣＰＵ）５４に割り込みを掛け、それにより中央制御ユニット（ＣＰＵ）５４は携帯端末機５０が通信装置６０に接続されたことを検出するようにしていた。
【０００７】
【発明が解決しようとする課題】
上記のようにして携帯端末機が通信装置に接続されたことを検出する場合には、携帯端末機側に給電端子５１、電圧検出回路５２および電源回路５３を設置しなければならず、携帯端末機の構成が複雑になり、また一次電池を用いる携帯端末機の場合には、この方式では携帯端末を検出できないという問題があった。
【０００８】
本発明は、通信装置に接続されたことを簡単な構成により検出できるようにした携帯端末機を提供することを目的とする。
【０００９】
【課題を解決するための手段】
本発明は、データを収集する通信装置と、前記データを送受する携帯端末機と、前記携帯端末機にホール素子を備えるともに前記通信装置に磁石を備え、前記ホール素子が前記磁石で動作して前記通信装置との接続を検出して、前記データの送受を開始することを特徴とする。
【００１０】
このような構成により、携帯端末機側にホール素子を設けるだけの構成で通信装置との接続の確認を実現することが可能となり、また給電又は充電機能のない一次電池により駆動される携帯端末機でも通信装置への接続の検出が可能となる。
【００１１】
【発明の実施の形態】
以下、本発明の実施の形態について、図面を用いて説明する。
【００１２】
図１は、本発明の実施形態に係る携帯端末機の構成を示すブロック図である。図１において本発明の携帯端末機１０は、データ及びプログラムを格納するメモリ１５、データなどを表示する液晶表示器（ＬＣＤ）１６、入力操作を行うキーボード１７、モード状態を表示する発光ダイオード（ＬＥＤ）１８、および、通信装置２０の光通信回路２９と光通信を行う光通信回路１９とを備え、それぞれ中央制御ユニット（ＣＰＵ）１４に接続されるようにしている。
【００１３】
また携帯端末機１０はホール素子１１を備え、通信装置２０に設けられた磁石２１によりもたらされる磁界による電気抵抗変化をホール素子１１で検出して中央制御ユニット１４に割込みを掛け中央制御ユニット１４に通信装置２０と接続されたことを通知する。なお、携帯端末機１０の各部を駆動する電力源について図１には図示していないが、乾電池などの１次電池を内部に備えるようにしてもよいし、また充電可能な蓄電池を内部に備えるようにしてもよい。
【００１４】
また図１において通信装置２０は、データ及びプログラムを格納するメモリ２５、モード状態を表示する発光ダイオード（ＬＥＤ）２６、通信コネクタ２８を介してセンタ（図示せず）にデータ転送を行う通信回路２７、および、携帯端末機１０の光通信回路１９と光通信を行う光通信回路２９とを備え、それぞれ中央制御ユニット（ＣＰＵ）２４に接続されるようにしている。なお、上記において光による通信としては、赤外線を使用する光データ通信規格（ＩｒＤＡ）を使用するものとする。また通信装置２０は、磁石２１を設け、携帯端末機１０が通信装置２０の所定位置に置かれて接続状態となったとき、磁石２１からの磁界がホール素子１１に作用するようにさせている。
【００１５】
次に、携帯端末機１０が通信装置２０に接続されたことを検出するための動作を説明すると、携帯端末機１０を通信装置２０の所定位置に置く。すると、通信装置２０に設けられた磁石２１からの磁界がホール素子１１に作用して電気抵抗変化が起ったことでホール素子１１から携帯端末機１０の中央制御ユニット１４に割込みを掛ける。これにより、携帯端末機１０が通信装置２０に接続されたことを検出する。
【００１６】
図２は、本発明の実施形態に係る携帯端末機１０の動作モードを説明するためのフロー図である。図２において携帯端末機１０の動作状態が停止モード、すなわち電源オフの状態に置かれているものとする。これは、携帯端末機１０のＣＰＵ動作を、起動するまで停止状態にさせておくことで消費電流を減らすためである。
【００１７】
携帯端末機１０の動作状態を変える起動要因が発生した場合、携帯端末機１０は電源オンとなる（ステップ１）。なお図２ではステップをＳと略記することにして、以下、ステップをＳと表記する。
【００１８】
次いで起動要因を判別する（Ｓ２）。判別の結果、通信装置接続、すなわち携帯端末機１０と通信装置２０が接続されたような場合、であれば、光通信を開始する（Ｓ３）。その際、図１に示したように発光ダイオード（ＬＥＤ）１８を点灯させ、データ通信が始まったことを表示する。また、液晶表示器（ＬＣＤ）１６の表示方法を上下反転して表示する。これにより通信モードに移行する。
【００１９】
一方、起動要因が電源キー押下であれば、キー待ち受けの状態に移行する（Ｓ４）。この状態にあるとき、割込要因、例えばセンタへの問合せ等が発生して通信接続を要する事態、が発生したとすると、次に割込要因を判別する（Ｓ５）。判別の結果、通信装置接続であれば、ステップ３に進み、上記したように光通信を開始する。ステップ３における発光ダイオード（ＬＥＤ）１８及び液晶表示器（ＬＣＤ）１６の表示については上述した通りである。
【００２０】
また判別の結果、通信装置接続以外、例えば障害事態の発生等、であれば、通信処理以外の他ソフト処理を実行する（Ｓ６）。なお、通信処理以外の他ソフト処理を実行、すなわち端末処理モードに移行しているとき、処理の過程に応じてステップ４に戻り、キー待ち受け状態に移行し、ステップ４以降の処理を実行する。
【００２１】
図３（ａ）乃至図３（ｄ）は、本発明の実施形態に係る携帯端末機１０の概略的な構造を示す図である。図３（ａ）は、携帯端末機１０の正面図であり、図３（ａ）において携帯端末機１０は、液晶等からなる表示部３１と、キー入力を行う第１の操作部３２が示されている。
【００２２】
図３（ｂ）は、携帯端末機１０の底面図であり、底面から見える箇所に光通信部３３が設けられている。図３（ｃ）は、携帯端末機１０の右側面図であり、右側面に第２の操作部３５が設けられ、携帯端末機１０内部に光通信部３３、発光ダイオード（ＬＥＤ）３４、ホール素子３７および位置決め用凹部３９がそれぞれ所定位置に設けられている。図３（ｄ）は、携帯端末機１０の裏面図であり、携帯端末機１０にはコードを読み取るためのスキャナ読取口３６、ホール素子３７および位置決め用凹部３９がそれぞれ所定位置に設けられている。
【００２３】
図４は、本発明の実施形態に係る携帯端末機１０と通信装置２０との接続関係を示す側面図である。図４において携帯端末機１０は図３（ｃ）に図示された状態で通信装置２０に載置される。図４に示すように携帯端末機１０が通信装置２０に載置されると、通信装置２０に設けられた位置決め用凸部４９が携帯端末機１０に設けられた位置決め用凹部に嵌合し、ホール素子３７と磁石４７とが最接近してホール素子３７により接続状態が検出される。
【００２４】
その結果、携帯端末機１０の中央制御ユニット（図１参照）の制御により携帯端末機１０の光通信部３３から通信装置２０の光通信部４３にデータが転送され、通信装置２０の中央制御ユニット（図１参照）の制御により通信回路（図１参照）を制御して通信コネクタ４８を介してセンタ（図示せず）にデータが転送されるようになる。また、発光ダイオード（ＬＥＤ）３４が点灯し、データ通信が開始されたことが表示される。
【００２５】
【発明の効果】
上記実施の形態から明らかなように本発明によれば、携帯端末機側にホール素子を設けるだけの構成で通信装置との接続の確認を実現することが可能となり、また給電又は充電機能のない一次電池により駆動される携帯端末機でも通信装置への接続の検出が可能となるという効果を有する。
【００２６】
また、ＬＣＤ表示を反転させることにより、通信装置を水平にした場合の操作性、視認性を向上させることができるという効果を有する。
【図面の簡単な説明】
【図１】本発明の実施形態に係る携帯端末機の構成を示すブロック図
【図２】本発明の実施形態に係る携帯端末機の動作モードを説明するためのフロー図
【図３】（ａ）携帯端末機の正面図
（ｂ）携帯端末機の底面図
（ｃ）携帯端末機の右側面図
（ｄ）携帯端末機の裏面図
【図４】本発明の実施形態に係る携帯端末機と通信装置との接続関係を示す側面図
【図５】従来の携帯端末機の構成を示すブロック図
【符号の説明】
１０　携帯端末機
１１　ホール素子
１４　中央制御ユニット（ＣＰＵ）
１５　メモリ
１６　液晶表示器（ＬＣＤ）
１７　キーボード
１８　発光ダイオード（ＬＥＤ）
１９　光通信回路
２０　通信装置
２１　磁石
２４　中央制御ユニット（ＣＰＵ）
２５　メモリ
２６　発光ダイオード（ＬＥＤ）
２７　通信回路
２８　通信コネクタ
２９　光通信回路
３１　表示部
３２　第１の操作部
３３　光通信部
３４　ＬＥＤ
３５　第２の操作部
３６　スキャナ読取口
３７　ホール素子
３９　位置決め用凹部
４３　光通信部
４８　通信コネクタ
４９　位置決め用凸部
５０　携帯端末機
５１　給電端子
５２　電圧検出回路
５３　電源回路
５４　中央制御ユニット（ＣＰＵ）
５５　メモリ
５６　液晶表示器（ＬＣＤ）
５７　キーボード
５８　発光ダイオード（ＬＥＤ）
５９　光通信回路
６０　通信装置
６１　給電端子
６２　給電回路
６３　電源回路
６４　中央制御ユニット（ＣＰＵ）
６５　メモリ
６６　発光ダイオード（ＬＥＤ）
６７　通信回路
６８　通信コネクタ
６９　光通信回路
【図１】
2004120071.tif 000003
【図２】
2004120071.tif 000004
【図３】
2004120071.tif 000005
【図４】
2004120071.tif 000006
【図５】
2004120071.tif 000007